(57)【要約】【課題】    特に人が階段を降りる時の安全性を保ちながら、クリーニングなどの方法を用いて、汚れた場合に踏み板部分を容易にきれいにすることができるリフォーム階段を提供すること。【解決手段】      既存階段の下段の踏み板１上に載置され、上端面が上段の踏み板１の上面より低くなるように、上段の踏み板１の前端面に当接される下側の新規蹴込板３と、該新規蹴込板３上に略全長に亘って載置され、後端面の上部分を上段の踏み板１上面より上側に突出させるように該踏み板１の前端面に当接される段鼻ブロック４と、上段の踏み板１上に載置される上側の新規蹴込板３の下部分と段鼻ブロック４の前記上側突出部分間に形成される新規踏み板収納凹所５と、該新規踏み板収納凹所５に着脱自在に内設される新規踏み板５１とからなるリフォーム階段である。【選択図】図１
2005232692.tif 000002
【特許請求の範囲】
【請求項１】
既存階段の下段の踏み板上に載置され、上端面が上段の踏み板の上面より低くなるように、上段の踏み板の前端面に当接される下側の新規蹴込板と、該新規蹴込板上に略全長に亘って載置され、後端面の上部分を上段の踏み板上面より上側に突出させるように該踏み板の前端面に当接される段鼻ブロックと、上段の踏み板上に載置される上側の新規蹴込板の下部分と段鼻ブロックの前記上側突出部分間に形成される新規踏み板収納凹所と、該新規踏み板収納凹所に着脱自在に内設される新規踏み板とからなるリフォーム階段。
【請求項２】
新規蹴込板上端面に後側部分を低く形成した段部を設け、該段部と段鼻ブロックとを係合させてなる請求項１記載のリフォーム階段。
【請求項３】
新規踏み板収納凹所に係着具を設け、該係着具に新規踏み板を係着させてなることを特徴とする請求項１又は２に記載のリフォーム階段。
【請求項４】
新規踏み板をカーペット体としたことを特徴とする請求項１から３のいずれか一つに記載のリフォーム階段。
【発明の詳細な説明】
【技術分野】
【０００１】
本発明は、一般住宅などに設置されている階段をリフォームすることによって得られるリフォーム階段に関するものである。
【背景技術】
【０００２】
一般住宅などの躯体構造の長寿命化に伴い、これら構造体をそのままにリフォームを行うことが多く行われている。これにより例えば住み替えなどにより中古住宅を購入した居住者などは、好みや予算に応じて内装部分をリニューアルすることができる。
【０００３】
一方、犬猫などの小動物と一緒に宅内で生活を行うことも、生活の多様化に伴い多く行われているが、これら小動物と居住することで、宅内の汚れが生じたときに、手軽にクリーニングを行いたいという要望もある。
【０００４】
床や壁などは、カーペットやクロスを用いることで比較的簡単にクリーニングができるが、階段は、昇降時の安全性を考えると、床のようにカーペットを用いることは余り望ましくない。したがって、階段のリフォームについては、既存の階段を取除き新規に階段を設ける、又は、特許文献１のように、既存の階段上にかぶせ板などをしてリフォームすることが一般に行われていた。
【０００５】
しかし小動物の階段を用いた移動時には、例えば犬の爪が踏み板に当り音がする、傷がいくなどの問題があり、解決が望まれていた。
【特許文献１】特開２００１−２７９８９９号公報
【発明の開示】
【発明が解決しようとする課題】
【０００６】
本願発明は、上記背景技術に鑑みて発明されたものであり、その課題は、特に人が階段を降りる時の安全性を保ちながら、クリーニングなどの方法を用いて、汚れた場合に踏み板部分を容易にきれいにすることができるリフォーム階段を提供することである。
【課題を解決するための手段】
【０００７】
上記課題を解決するために、本願発明は、既存階段の下段の踏み板上に載置され、上端面が上段の踏み板の上面より低くなるように、上段の踏み板の前端面に当接される下側の新規蹴込板と、該新規蹴込板上に略全長に亘って載置され、後端面の上部分を上段の踏み板上面より上側に突出させるように該踏み板の前端面に当接される段鼻ブロックと、上段の踏み板上に載置される上側の新規蹴込板の下部分と段鼻ブロックの前記上側突出部分間に形成される新規踏み板収納凹所と、該新規踏み板収納凹所に着脱自在に内設される新規踏み板とからなるリフォーム階段としている。
【発明の効果】
【０００８】
本願発明の請求項１に係るリフォーム階段においては、下側の新規蹴込板上に載置され踏み板の前側から段鼻ブロックが該踏み板上側に突出し、この段鼻ブロックの突出部分と踏み板の後側に載置される上側の新規蹴込板の下側部分間に設けられる新規踏み板収納凹所を設け、同所に新規踏み板を着脱自在に内設させたことで、新規踏み板が汚れた場合に簡単に取外し、クリーニングなどを容易にすることができ、また人間が階段を降りる時には、段鼻ブロックに足がかかるので、安全に降りることが可能となっている。
【０００９】
また、本リフォーム階段を用いると、既存階段の構成に拠らず既存階段をリフォームすることができる。
【００１０】
また請求項２に係るリフォーム階段では、請求項１のものに加え、新規蹴込板上端面に後側部分を低く形成した段部を設け、該段部と段鼻ブロックとを係合させたことで、段鼻ブロックを確実に新規蹴込板上に設けることができ、特に人が階段を降りる際に、段鼻ブロックが外れることを防止している。
【００１１】
また請求項３に係るリフォーム階段では、さらに新規踏み板収納凹所に係着具を設け、該係着具に新規踏み板を係着させてなることで、新規踏み板が簡単に取れてしまうことを防止でき、例えば小動物の足の爪に引っかかり外れてしまうことを防止することができる。
【００１２】
また請求項４に係るリフォーム階段では、さらに新規踏み板をカーペット体としたことで、人も含め昇降時の音の伝わりを低減することができる。
【発明を実施するための最良の形態】
【００１３】
本願発明の最良の形態を図１に示される以下の実施例にて説明する。なお、図１は本リフォーム階段の要部を示した断面図である。
【００１４】
本実施例では、既存階段の下段の踏み板１上に載置され、上端面が上段の踏み板１の上面より低くなるように、上段の踏み板１の前端面に当接される下側の新規蹴込板３と、該新規蹴込板３上に略全長に亘って載置され、後端面の上部分を上段の踏み板１上面より上側に突出させるように該踏み板１の前端面に当接される段鼻ブロック４と、上段の踏み板１上に載置される上側の新規蹴込板３の下部分と段鼻ブロック４の前記上側突出部分間に形成される新規踏み板収納凹所５と、該新規踏み板収納凹所５に着脱自在に内設される新規踏み板５１とからなるリフォーム階段としている。
【００１５】
また、新規蹴込板３上端面に後側部分を低く形成した段部３１を設け、該段部３１と段鼻ブロック４とを係合させ、新規踏み板収納凹所５に係着具５２を設け、該係着具５２に新規踏み板５１を係着させたものである。なお、本実施例では新規踏み板５１をカーペット体としたものである。
【００１６】
このように下側の新規蹴込板３上に載置され踏み板１の前側から段鼻ブロック４が該踏み板１上側に突出し、この段鼻ブロック４の突出部分と踏み板１の後側に載置される上側の新規蹴込板３の下側部分間に設けられる新規踏み板収納凹所５を設け、同所に新規踏み板５１を着脱自在に内設させたことで、新規踏み板５１が汚れた場合に簡単に取外し、クリーニングなどを容易にすることができ、また人間が階段を降りる時には、段鼻ブロック４に足がかかるので、安全に降りることが可能となっている。
【００１７】
また、新規蹴込板３上端面に後側部分を低く形成した段部３１を設け、該段部３１と段鼻ブロック４とを係合させたことで、段鼻ブロック４を確実に新規蹴込板３上に設けることができ、特に人が階段を降りる際に、段鼻ブロック４が外れることを防止している。なお、段鼻ブロック４を新規蹴込板３に取付ける時に、図示のように新規蹴込板３上面が踏み板１上面より低く形成されていると、位置決めが簡単にできる。なお、段鼻ブロック４には係合凸部４１を形成し、段部３１に係合させている。
【００１８】
また、新規踏み板収納凹所５に係着具５２を設け、該係着具５２に新規踏み板５１を係着させてなることで、新規踏み板５１が簡単に取れてしまうことを防止でき、例えば小動物の足の爪に引っかかり外れてしまうことを防止することができる。
【００１９】
なお係着具５２には、一般に衣服などに用いられる係着テープを用いているが、その他のものを用いてもよい。
【００２０】
また、新規踏み板５１をカーペット体としたことで、人も含め昇降時の音の伝わりを低減することができる。なおカーペット体とは、太厚のカーペットを意味しているが、新規踏み板には、例えば薄板上にクッションフロアと呼ばれる化粧材やカーペットを設け一体にしたものや、単なる化粧板など、本発明の趣旨にあうものを用いることができる。
【００２１】
なお、カーペット体を使用する場合は、使用により厚さが減じ、段鼻ブロック４につま先がひっかかるおそれがあるので、比較的腰の強いものを用いることが望ましい。
【００２２】
本実施例では、新規蹴込板３の裏面（既存階段側）の下部分に、踏み板１の後端部分に、既存階段の段鼻部分と同じ奥行きとなるスペーサ６を設け、新規蹴込板３を設ける際に、上部分及び下部分をそれぞれ当設させ設けることができ、施工が簡単に行なえると共に、新規蹴込板３に足が当るなどして、施工後にずれることを防止することができる。
【００２３】
本実施例では、段鼻ブロック４は樹脂成形品を用い、中空部４３を設け軽量化を行なっている。また樹脂素材を選択し、軟質のものを用いれば、中空部４３は例えば段鼻ブロック４の前面側に足やひざが当ったときの衝撃吸収の効果も期待できる。
【００２４】
なお、本段鼻ブロック４は、樹脂成形品の表面に木目調などの化粧シート４４を貼っている。また段鼻ブロック４は、本実施例では、新規蹴込板３上面から前面側に亘って略鉤状に形成され、新規蹴込板３の上側木口面を被装している。勿論段鼻ブロック４の形状は、略帯板状であっても構わないし、新規蹴込板３から前方への飛び出し部分が図示よりも少なくてもよい。
【００２５】
また段鼻ブロック４の上面の新規蹴込板３直上部分には、該段鼻ブロック４と新規蹴込板３とを係着するための固定具４５を設けるための凹部４２が形成されていて、さらに該凹部４２に嵌着し、上面を段鼻ブロック４の上面と略面一になるようにするすべり止め４６が設けられている。これにより人が本リフォーム階段を降りる際に、さらに安全性が向上する。
【００２６】
なお、本実施例では、段鼻ブロック４の上面は、前側が若干高くなっていて、より安全性が向上するようにしている。
【００２７】
なお、図１には本リフォーム階段の要部のみを示しているが、実際には上下の各段毎に同種の構成を用いるもので、また最上段は２階の廊下部分となるため本構成に拠らないが、例えば段鼻ブロックは同じ構成とし、２階の廊下部分にカーペットなどを設け、同趣旨の構成とすることなど行なってもよい。
【００２８】
また既存階段は、一般的に用いられる施工状態を示しただけで、特に図示した、例えば踏み板１の裏面に切り込み部１１を設け、同切り込み部１１に蹴込板２を挿入固定するなどの図に限定された態様に限るものではなく、例えば既存階段に段鼻部分が無いものなどにも用いることができる。
【図面の簡単な説明】
【００２９】
【図１】本願発明の実施形態であるリフォーム階段の要部を示した断面図である。
【符号の説明】
【００３０】
１  踏み板
１１  切り込み部
２  蹴込板
３  新規蹴込板
３１  段部
４  段鼻ブロック
４１  係合凸部
４２  凹部
４３  中空部
４４  化粧シート
４５  固定具
４６  すべり止め
５  新規踏み板収納凹所
５１  新規踏み板
５２  係着具
６  スペーサ
【図１】
2005232692.tif 000003